(57)【要約】【課題】誰でも手軽にプレーできるということをさらに完全なものとする。【解決手段】カップインしたボールＢを自動的に、カップ１に設けられたボール脱出口２からグリーンＧ地下に、グリーン外へ向けて下がる方向に傾斜する脱出通路３を経て、当該脱出通路３の出口３１からグリーンＧ外へ放出する。【選択図】図１
2004174076.tif 000002
【特許請求の範囲】
【請求項１】
パークゴルフのカップからボールを取り出す方法であって、
カップインしたボールを自動的に、カップに設けられたボール脱出口からグリーン地下に、グリーン外へ向けて下がる方向に傾斜するように設けられた脱出通路を経て、当該脱出通路の出口からグリーン外へ放出して取り出すことを特徴とするパークゴルフ用ボールの取り出し方法。
【請求項２】
請求項１の取り出し方法に用いられるパークゴルフ用のカップにおいて、
カップ本体に１個または複数個のボール脱出口を備え、カップ本体内にはカップインしたボールを前記ボール脱出口に自動的に案内する傾斜面部を備えてなることを特徴とするカップ。
【請求項３】
ボール脱出口をカップ本体の周面に備えるとともに、傾斜面部をカップ本体内に装着される音響板に備えてなることを特徴とする請求項２に記載のカップ。
【請求項４】
前記ボール脱出口に、グリーン外へ向けて下がる方向に傾斜する、または、傾斜させることが可能なパイプ状の脱出通路を連設してなることを特徴とする請求項２または請求項３に記載のカップ。
【発明の詳細な説明】
【０００１】
【発明の属する技術分野】
本発明は、カップインしたパークゴルフ用ボールをカップから自動的に取り出す方法およびこの方法に用いられるパークゴルフ用のカップに関する。
【０００２】
【従来技術】
パークゴルフは、老若男女問わず誰でも手軽にプレーできるように開発された比較的新しいゲームであり、現在ではコミュニティースポーツ，レジャースポーツとして全国に普及しつつある。
基本的なルールとしては、通常のゴルフと同様に、ホールごとにボールをカップインさせながら、複数のホールを周って行くものである。
【０００３】
【発明が解決しようとする課題】
ところで、パークゴルフは前記したように、誰でもプレーできることを目的に開発されているとはいうものの、高齢者や身障者の中には、カップインしたボールを自らの手で拾い上げるのが極めて困難である者が存在しており、このために、パークゴルフをあきらめてしまうという状況が少なからず有る。
【０００４】
また、パークゴルフでは、通常のゴルフと異なりスパイクを用いず、運動靴等の通常の靴でプレーするために、グリーン上の芝の傷みが激しいものである。
特に、グリーン上でカップインしたボールを拾い上げる際における歩行が最も大きい原因であるといわれている。
しかしながら、グリーン上の良好な状態を提供するためには、芝のメンテナンスや芝の張替え等の芝管理を短いスパンで行う必要が有るため、芝管理に係るコストを削減することができなかった。
当然ながら、メンテナンスや張替え時においてコースを閉鎖した場合の減収分も芝管理コストに含まれており、このコストは直接的にプレー費に大きく影響するため、場所によっては手軽なプレーとはいえない費用となってしまう可能性も有る。
つまり、パークゴルフの目的が子供から高齢者まで手軽に楽しめるように開発されたものであるのに、プレーに要する費用のために、プレーをあきらめざるを得ない状況も有る。
【０００５】
前記したように、現在のパークゴルフにおいては、誰でも手軽にプレーできる目的を達成しているとはいえず、前記した点において改良が望まれているが、本出願人の知り得る限りにおいて、前記した点を解決する先行技術は現時点では存在しない。
【０００６】
そこで本発明は、誰でも手軽にプレーできるということをさらに完全なものとすることを課題とし、この課題を達成するパークゴルフ用ボールの取り出し方法およびこの方法に用いられるカップの提供を目的とする。
【０００７】
【課題を解決するための手段】
上記した目的を達成するために本発明は下記の技術的手段を採用した。
その技術的手段は、パークゴルフのカップからボールを取り出す方法であって、図１に示すように、カップインしたボールＢを自動的に、カップ１に設けられたボール脱出口２からグリーンＧ地下に、グリーン外へ向けて下がる方向に傾斜する脱出通路３を経て、当該脱出通路３の出口３１からグリーンＧ外へ放出して取り出す方法にしたことである（請求項１）。
【０００８】
本発明の方法によれば、アドレス位置からパットしたボールがカップインすると、そのボールは自動的にグリーン外へ放出される。
そして、プレーヤーはグリーン上においてボールをカップから拾い上げる行動をすることなくグリーンから降りることができる。
つまり、ボールを拾い上げる動作が困難な高齢者や身障者も、極めて楽にプレーすることができる。
さらに、グリーン上の歩行数を必要最小限にして芝の痛みの発生を抑制することができるので、芝管理のコストが大幅に削減され、これにより、プレー費用を安価にすることができる。
したがって、プレー中の動作においてもプレー費用においても、誰でもが手軽にプレーできるということをさらに完全なものとすることができる。
【０００９】
【発明の実施の形態】
本発明では、前記方法が実施可能である範囲においてボールが放出される方向を限定するものではないが、好ましくは、プレーに支障が無い方向であり、最適には、次のホールのスタート地点方向である。
次のホールのスタート地点方向にボールが放出されるようにすれば、次のプレーに速やかに移動することができる。
また、場所的に可能であれば、次のスタート地点にボールが放出されるようにすることもできる。
【００１０】
前記の方法を達成するために用いられるパークゴルフ用のカップ１は、図２および図３に示すように、カップ本体１１に１個または複数個のボール脱出口２（図面では１個）を備え、カップ本体１１内にはカップインしたボールＢを前記ボール脱出口２に自動的に案内する傾斜面部４を備えたカップ１である（請求項２）。
この構成のカップ１によれば、グリーンに埋め込まれた状態において、ボール脱出口２とグリーンＧ外が前記脱出通路３を介して連通される。
また、カップインしたボールＢは、カップ本体１１内の傾斜面部４によってボール脱出口２に案内され、当該脱出口から脱出通路３を経てグリーン外へ放出される。
【００１１】
ボール脱出口の個数は、前記したように１個でもよいし複数個でもよいが、ボール脱出口が複数個の場合には、いずれか一つを使用するために開放状態とし、残りについては塞いでおく。
また、ボール脱出口が複数個の場合、例えば、ボール放出方向を変更する際に、カップをグリーンから抜き取ることなく、変更する方向のボール脱出口を使用することができる点において有利である。
ボール放出口が１個の場合は、製作工程や部品点数を必要最小限にすることができるので、製作コストの削減という点について有利である。
【００１２】
本発明では、前記方法が実施可能である範囲においてボール脱出口の位置を限定するものではなく、例えば、カップ本体の周面や底部いずれでもよい。
好適には、図２および図３に示すように、ボール脱出口２をカップ本体１１の周面に備えるとともに、傾斜面部４をカップ本体１１内に装着される音響板５に備える構成である。
つまり、カップ本体の底部にボール脱出口を備えたものについては、ボールを底部に確実、かつスムースに落とすために障害となり得る音響板を使用しにくいが、ボール脱出口２をカップ本体１１の周面に備えることによって音響板５を使用することができ、しかも、その音響板５に傾斜面部４を備えることによって、音響板５がカップイン時の独特な音響を出しながら、ボールＢを確実、かつスムースにボール脱出口２に案内することができる点について有利である。
【００１３】
また、前記方法を実施する場合においては、カップの埋設と脱出通路の形成を要するが、図に示すように、カップ１を、前記ボール脱出口２に、グリーン外へ向けて下がる方向に傾斜する、または、傾斜させることが可能なパイプ状の脱出通路３を連設したものとする（請求項４）ことによって、カップ１と脱出通路３が一体構造となるので、埋設作業を迅速に行う上で極めて有利である。
パイプ状の脱出通路の構成については、可撓性を有する素材からなるパイプやフレキシブル構造を有する蛇腹パイプ、さらには金属パイプ管等が例示できる。
例えば、可撓性を有する素材からなるパイプやフレキシブル構造を有する蛇腹パイプでは、ボールの脱出方向を変更する際に、脱出通路のみをその方向に曲げれば変更できるので、変更作業の迅速化・簡素化という点で有利である。
また、金属パイプでは、脱出通路の傾斜を当初から決めた状態でボール脱出口に備えることが可能であって、カップの埋設時に脱出通路の傾斜を作る必要が無いため、カップの埋設作業の迅速化という点について有利である。
【００１４】
【実施例】
以下、本発明の実施例を図面に基づいて説明する。
図１は、本発明のボールの取り出し方法を具体的に実施した状態を示し、図２および図３は、当該方法を実施するためのカップ１の構造を示している。
【００１５】
図１に示す実施状態を説明すると、グリーンＧに、図２および図３に示すカップ１を埋設し、カップ１に備えられたパイプ状の脱出通路３を、グリーンＧのエッジＧ１の一部に設けられた比較的なだらかな傾斜面Ｇ２に向けて傾斜状に埋設し、この傾斜面Ｇ２に脱出通路３の出口３１を設けてある。
符号２はボール脱出口、符号５は傾斜面部４とする音響板、符号６はピンである。
【００１６】
次に、カップ１の構成を説明する。
本実施例のカップ１は、ステンレス材を用いて所定形状に形成されたカップ本体１１と、当該カップ本体１１の周面に一体的に設けられたボール脱出口２と、ボール脱出口２と連通するように設けられたパイプ状の脱出通路３と、カップ本体１１内に着脱可能に設けられた傾斜面部４とする音響板５からなる。
【００１７】
ボール脱出口２は、カップ本体１１の周面に開孔された貫通孔２１と、この貫通孔と連通するガイド筒体２２とからなる。
ガイド筒体２２は、カップ本体１１の周面に対して下向き傾斜状に取り付けられている。
【００１８】
本実施例における脱出通路３は蛇腹状のフレキシブルパイプを用いている。
このフレキシブルパイプとした脱出通路３の端部を前記ガイド筒体２２に挿し込み固定することによって、当該脱出通路３とカップ本体１１とを一体状にしている。
【００１９】
音響板５は、ステンレス材を用いて所定形状に形成されたものであり、この中心部にはピン差込用の貫通孔５１が開孔され、音響板５の裏面には前記ピン６を支持するピン支持管５２が固着されている。
音響板５は、ピン支持管５２に対して傾斜させてあり、ピン支持管５２を前記カップ本体１１の底部中心に立設された支持管１２に挿し込むことによって、カップ本体１１内に傾斜面部４が構成される。
このとき、傾斜面部４の傾斜方向は、傾斜面部４の最も低い位置が前記ボール脱出口２に正対する方向である。
【００２０】
符号５３は、音響板５のカップ本体１１内での回転を抑制するストッパーであり、音響板５の周縁から放射方向に一体的に突設され、音響板５をカップ本体１１内に正しく装着したときに、ストッパー５３がボール脱出口２を貫通するようにしてある。
つまり、仮に、音響板５が前記支持管１２を中心に左右いずれかに回転したときには、ストッパー５３がボール脱出口２の縁に接触することによって、それ以上の回転が抑制される。
したがって、傾斜面部４の正しい傾斜方向を常時保持することができるので、カップインしたボールＢを確実にグリーンＧ外へ放出することができる。
なお、前記音響板の回転を抑制する手段としては、本実施例で例示した手段に限定されるものではなく、例えば、前記ピン支持管５２の外面形状を角柱状する一方、前記支持管１２の内面形状をピン支持管５２の外面形状が適合する形状として嵌合することによって、前記音響板５の回転を抑制する手段も挙げられる。
【００２１】
以上説明したカップ１を図１に示す状態に埋設することによって、カップインしたボールＢは、音響板５における傾斜面部４によってボール脱出口２に案内され、そのまま、脱出通路３を通ってグリーンＧ外に放出される。
また、ボールＢのカップイン時においては、音響板５がボールＢを受けて独特な音響を発する。
【００２２】
なお、本発明は例示した実施例に限定されるものではなく、特許請求の範囲に記載された内容から逸脱しない範囲で他の構成による実施が可能である。
【図面の簡単な説明】
【図１】本発明の方法を実施した状態を示す。
【図２】本発明のカップの斜視図。
【図３】図２の（３）−（３）線断面図。
【符号の説明】
１：カップ
１１：カップ本体
２：ボール脱出口
３：脱出通路
３１：出口
４：傾斜面部
５：音響板
Ｇ：グリーン
【図１】
2004174076.tif 000003
【図２】
2004174076.tif 000004
【図３】
2004174076.tif 000005